(57)【要約】【課題】本発明の課題はかつらの一部に設けたつむじ部と、他の部分とを馴染ませて、人の頭髪の髪癖により近く、外観上自然なかつらを提供することである。【解決手段】人毛又は人工毛１１が植設される網地状基布１２から成り、上記網地状基布１２は単一の布状部材で構成され、この網地状基布１２の一部に上記人毛又は人工毛１１が渦巻き状になるように植設された渦巻き状部１３を有するかつら１０であって、上記網地状基布１２の他の部分に人毛又は人工毛１１が上記渦巻き状部の渦巻き方向と同方向に毛流れするよう植設される構成とした。【選択図】図１
2009041119.tif 000002
【特許請求の範囲】
【請求項１】
人毛又は人工毛が植設される網地状基布から成り、
前記網地状基布は単一の布状部材で構成され、該網地状基布の一部に前記人毛又は人工毛が渦巻き状になるように植設された渦巻き状部を有するかつらであって、
前記網地状基布の他の部分に人毛又は人工毛が前記渦巻き状部の渦巻き方向と同方向に毛流れするよう植設される、
ことを特徴とするかつら。
【請求項２】
前記渦巻き状部は頭髪のつむじ部として使用される、
ことを特徴とする請求項１記載のかつら。
【請求項３】
前記渦巻き状部は、時計回りに渦巻いて形成されている、
ことを特徴とする請求項１記載のかつら。
【請求項４】
前記渦巻き状部は、反時計回りに渦巻いて形成されている、
ことを特徴とする請求項１記載のかつら。
【発明の詳細な説明】
【技術分野】
【０００１】
本発明は、人毛又は人工毛が植設される網地状基布の一部に渦巻き状部を備えたかつらに関する。
【背景技術】
【０００２】
一般に、かつらは薄毛に悩む人が外見上実際の頭髪であるように見せるために、又は、病気治療のために医薬品の投与により脱毛した人が着用するものである。よって、必然的にかつらには実際の頭髪であるような毛の生え方となるようにすることが要求される。
【０００３】
また、かつらは使用者のヘアースタイルに応じて種々の形態に合うように作られるものであるが、特につむじを備えたヘアースタイルのかつらにおいては、つむじが実際の頭髪部の一部であるように見えることが望ましい。
【０００４】
特にこの部分は、人毛又は人工毛によって比較的覆われない箇所であるため、外見上目立つ箇所となっている。そこで、従来から、上記のような要求を満足するために様々なかつらが提案されている。
【０００５】
そこで、人工皮膚又はネットより成る毛髪支持体につむじ部を形成したかつらが提案されている（特許文献１参照）。このかつらによれば、毛髪支持体に形成したつむじ部によって、頭部の薄毛部分を覆い隠すというものである。
【特許文献１】実開平５−５４５０９号公報
【発明の開示】
【発明が解決しようとする課題】
【０００６】
しかしながら、特許文献１のかつらに形成されているつむじ部は、その部分が渦巻いて形成されてはいるが、つむじ部分と他の部分（前頭部及び後頭部など）とを馴染ませてはいないので、外観上については、検討の余地が考えられる。
【０００７】
詳述すると、通常、人の頭髪は、つむじ部が時計又は反時計回りに渦巻いて形成されており、このつむじ部の渦巻き方向と同方向に他の部分の自毛が毛流れしている。つまり、つむじ部が時計回りに渦巻いて形成されている人は、前頭部側の自毛を左から右に流してセットすると好ましく、また、反時計回りに渦巻いて形成されている人は、前頭部側の自毛を右から左に流してセットすると好ましい。
【０００８】
そこで、本発明の課題は、上記従来の実状に鑑み、かつらの一部に設けたつむじ部と、他の部分とを馴染ませて、人の頭髪の髪癖により近く、外観上自然なかつらを提供することである。
【課題を解決するための手段】
【０００９】
人毛又は人工毛が植設される網地状基布から成り、上記網地状基布は単一の布状部材で構成され、この網地状基布の一部に上記人毛又は人工毛が渦巻き状になるように植設された渦巻き状部を有するかつらであって、上記網地状基布の他の部分に人毛又は人工毛が上記渦巻き状部の渦巻き方向と同方向に毛流れするよう植設される構成とした。
【００１０】
好ましくは、上記渦巻き状部は頭髪のつむじ部として使用される構成とした。
【００１１】
好ましくは、上記渦巻き状部は、時計回りに渦巻いて形成されている構成とした。
【００１２】
好ましくは、上記渦巻き状部は、反時計回りに渦巻いて形成されている構成とした。
【発明の効果】
【００１３】
本発明のかつらによれば、かつらの一部に渦巻き状部を形成し、この渦巻き状部と同方向に他の部分の人毛又は人工毛を植設させることで、人の頭髪の髪癖により近くなり、外見上自然なかつらを形成することができる。
【発明を実施するための最良の形態】
【００１４】
以下、本発明の実施の形態に係るかつらについて、図を用いて説明を行う。
【００１５】
（第１の実施の形態）
図１は、第１の実施の形態のかつら１０を示す平面図である。同図１において示されたかつら１０は、人毛及び人工毛１１が植設される網地状基布１２で構成されている。尚、ここでは、網地状部材１２の縁部及び中心部にしか図示しないが、実際には、網地状基布１２の全体にもほぼ均一に人毛又は人工毛１１が植設させる。
【００１６】
この網地状基布１２は単一の布状部材で形成されており、網地状基布１２の一部には、人毛又は人工毛が渦巻き状になるように植設される渦巻き状部１３が形成されている。この渦巻き状部１３はこの網地状基布１２の所定の位置に形成される。つまり、渦巻き状部１３は人の頭髪のつむじ部として使用される。
【００１７】
また、網地状基布１２には、渦巻き状部１３の他の部分に、この渦巻き状部１３の方向と同方向に毛が流れるように人毛又は人工毛が植設されている。このように形成することで、本実施の形態のかつら１０は、頭髪の髪癖により近くなるので、外観上自然なかつらを形成することが可能となる。尚、図１においては、網地状基布１２には人毛又は人工毛１１を植設させた状態を示していないと上述したが、同図１に示した矢印は人毛及び人工毛１１の毛流れ方向を示したものである。
【００１８】
このかつら１０の装着方法は、網地状基布１２に固定ピンを用いて装着する方法が考えられる。また、固定ピンの代用品としては、網地状基布１２に両面テープを用いることも可能である。また、更に別の装着方法としては、自毛と人毛又は人工毛とを混毛させて固定スプレーなどで固めて装着する方法も可能である。
【００１９】
図２は、かつらの主たる構成である網地状基布１２の第１の実施の形態を示す平面図である。網地状基布１２は、単一の布状部材で形成されており、網地状基布１２の一部には、人毛又は人工毛１１が渦巻き状になるように植設させる渦巻き状部１３が形成されている。
【００２０】
この渦巻き状部１３は、網地状基布１２の所定の位置に形成されるが、この所定の位置とは、人の頭髪のつむじの位置に相当する位置である。また、本実施の形態おいて渦巻き状部１３は、時計回りに渦巻いて形成されている（渦巻き状部１３近傍に示す矢印参照）。
【００２１】
また、渦巻き状部１３での渦巻き方向と同方向に他の部分の人毛又は人工毛が毛流れするように植設される（網地状基布１２に示す矢印参照）。このように形成されることで、本実施の形態のかつら１０は頭髪の髪癖により近くなるので、外観上自然なかつらを形成することが可能となる。
【００２２】
なお、網地状基布１２の大きさ及び網地状基布１２における渦巻き状部１３の箇所は、特に限定されず、使用者の実際の頭髪の状態に合わせて形成することが可能である。好ましくは、渦巻き状部１３の大きさは、１ｃｍΦが良い。
【００２３】
図３は、図２に示す渦巻き状部１３を拡大して示した図である。すなわち、本実施の形態で示した網地状基布１２に形成されている渦巻き状部１３の植毛部位を示した図である。
【００２４】
本実施の形態の網地状基布１２は、六角形を連続に並べて形成されている。この六角形の一辺３１に人毛又は人工毛を結び付けて植設される。この植設箇所については、六角形の一辺の中心に植設することが好ましい。これにより、結び目３２が均一に配列されるので、外観視したときにムラが生じない。また、網地状基布１２は頭皮との通気性が良くなるというメリットがある。
【００２５】
（第２の実施の形態）
図４は、かつらの主たる構成である網地状基布４２の第２の実施の形態を示す平面図である。網地状基布４２も、第１の実施の形態の網地状基布と同様に単一の布状部材で形成されており、網地状基布４２の一部には、人毛又は人工毛４１が渦巻き状になるように植設させる渦巻き状部４３が形成されている。
【００２６】
この渦巻き状部４３は、網地状基布４２の所定の位置に形成されるが、この所定の位置とは、人の頭髪のつむじの位置に相当する位置である。また、本実施の形態おいて渦巻き状部４３は、反時計回りに渦巻いて形成されている（渦巻き状部４３近傍に示す矢印参照）。つまり、この渦巻き状部は時計回り、又は、反時計回りのいずれも形成することが可能である。よって、本実施の形態のかつらは使用者の髪癖に合わせて提供することが可能である。尚、図４においても、網地状基布４２には人毛又は人工毛４１を植設させた状態を示していないと上述したが、同図４に示した矢印は人毛及び人工毛４１の毛流れ方向を示したものである。
【００２７】
また、渦巻き状部４３での渦巻き方向と同方向に他の部分の人毛又は人工毛が毛流れするように植設される。このように形成されることで、本実施の形態のかつら１０は頭髪の髪癖により近くなるので、外観上自然なかつらを形成することが可能となる。
【００２８】
なお、網地状基布４２の大きさ及び網地状基布４２における渦巻き状部４３の箇所についても、第１の実施の形態と同様に特に限定されず、使用者の実際の頭髪の状態に合わせて形成することが可能である。好ましくは、渦巻き状部４３の大きさも、１ｃｍΦが良い。
【００２９】
本実施の形態によれば、かつらの一部に渦巻き状部を形成し、この渦巻き状部と同方向に他の部分の人毛又は人工毛を植設させることで、人の頭髪の髪癖により近くなり、外見上自然なかつらを形成することができる。
【図面の簡単な説明】
【００３０】
【図１】かつらを示す平面図である。
【図２】かつらの主たる構成である網地状基布の第１の実施の形態を示す平面図である。
【図３】図２における渦巻き状部を拡大して示した図である。
【図４】かつらの主たる構成である網地状基布の第２の実施の形態を示す平面図である。
【符号の説明】
【００３１】
１０      かつら
１１      人毛又は人工毛
１２      網地状基布
１３      渦巻き状部
３１      一辺
３２      結び目
４０      かつら
４１      人毛又は人工毛
４２      網地状基布
４３      渦巻き状部
【図１】
2009041119.tif 000003
【図２】
2009041119.tif 000004
【図３】
2009041119.tif 000005
【図４】
2009041119.tif 000006